(57)【要約】【課題】快適性や利便性を損なうことなく、安価な方法で複数台の室内機を運転するマルチ形空気調和機を提供する。【解決手段】室外機１へ商用交流電源８が接続され室内外接続線Ａ１１、室内外接続線Ｂ１２を介して室内機Ａ９と室内機Ｂ１０へそれぞれ電力の供給を行い、室外機１の通信手段Ｃ４と室内機Ａ９の通信手段Ａ２３との間の信号伝達を室内外接続線Ｃ１３、室内外接続線Ｄ１４を介して行うとともに、室外機１の通信手段Ｄ５と室内機Ｂ１０の通信手段Ｂ３３との間の信号伝達を室内外接続線Ｃ１３、室内外接続線Ｄ１４を通して行うようにし、室外機１に同時運転設定手段７を設け、同時運転設定手段７にてグループ設定された室内機Ａ９と室内機Ｂ１０の運転の開始を同時に行うようにしたものである。【選択図】図１
2013133974.tif 000002
【特許請求の範囲】
【請求項１】
電源部Ａと制御部Ａと通信手段Ａを備えた室内機Ａと、電源部Ｂと制御部Ｂと通信手段Ｂを備えた室内機Ｂと、電源部Ｃと制御部Ｃと通信手段Ｃと通信手段Ｄを備えた室外機とを備え、前記室外機へ商用交流電源が接続され室内外接続線Ａ、Ｂを介して前記室内機Ａと前記室内機Ｂへそれぞれ電力の供給を行い、前記室外機の前記通信手段Ｃと前記室内機Ａの前記通信手段Ａとの間の信号伝達を室内外接続線Ｃ、Ｄを介して行うとともに、前記室外機の前記通信手段Ｄと前記室内機Ｂの前記通信手段Ｂとの間の信号伝達を前記室内外接続線Ｃ、Ｄを通して行うようにし、前記室外機に同時運転設定手段を設け、前記同時運転設定手段にてグループ設定された前記室内機Ａと前記室内機Ｂの運転の開始を同時に行うことを特徴とするマルチ形空気調和機。
【請求項２】
前記同時運転設定手段にてグループ設定された前記室内機Ａおよび前記室内機Ｂの運転設定変更を同時に行うことを特徴とする請求項１に記載のマルチ形空気調和機。
【請求項３】
前記室外機に、同時停止／個別停止設定手段を設け、前記同時停止／個別停止設定手段にてグループ設定された前記室内機Ａと前記室内機Ｂの運転停止を同時もしくは個別に行うことを特徴とする請求項１または２に記載のマルチ形空気調和機。
【発明の詳細な説明】
【技術分野】
【０００１】
本発明は、一台の室外機に複数台の室内機を接続するマルチ形空気調和機に関するものである。
【背景技術】
【０００２】
図６は、従来技術における空気調和機の構成図である。図６に示すように、従来の空気調和機は、商用電源１１６と接続され、制御部１０４、通信手段１０７、電源部１１０を備えた室外機１０１と、制御部１１１、通信手段１０８、電源部１０５、リモコン１１４を備えた室内機１０２と、制御部１１２、通信手段１０９、電源部１０６、リモコン１１５を備えた室内機１０３であって、室外機１０１と室内機１０２と室内機１０３を室内外接続線１１３にて接続するマルチ形空気調和機である。また、室内機１０２と室内機１０３は、集中制御リモコン１１７に接続されている。このような構成において、室内機１０２と室内機１０３を同じモードで運転を行うためには、リモコン１１４にて室内機１０２に運転開始信号を送信し運転させ、同時にリモコン１１５にて室内機１０３に運転開始信号を送信し運転させる。もしくは、室内機１０２および室内機１０３に接続された集中制御リモコン１１７にて、室内機１０２と室内機１０３をグループに設定し、集中制御リモコン１１７より運転開始信号を送信し運転させるというものである（例えば、特許文献１参照）。
【先行技術文献】
【特許文献】
【０００３】
【特許文献１】特開２００９−１８６１４４号公報
【発明の概要】
【発明が解決しようとする課題】
【０００４】
しかしながら前記従来の構成では、複数台接続した室内機を同じ運転モードで運転する場合、各室内機へ運転開始信号を送信する必要がある。また、集中制御リモコンを用いて複数台接続した室内機の運転を開始する場合、接続した室内機にアドレス設定を行い運転を行いたい室内機をグループに設定し、集中制御リモコンより運転開始信号を送信する必要があった。そのため運転開始信号を複数台接続した室内機に送信して回る労力と時間が必要であり、また高価な集中制御リモコンを接続し、複雑な配線とアドレス設定が必要であるという課題を有していた。
【０００５】
本発明は、前記従来の課題を解決するもので、複数台接続した室内機を同じ運転モードで運転開始する場合、一台の室内機にリモコンより運転開始信号を送信することで複数台の室内機を同じ運転モードで運転開始することを可能とし、マルチ形空気調和機の快適性や利便性を損なうことなく、また安価な方法で複数台の室内機を運転するマルチ形空気調和機を提供することを目的とする。
【課題を解決するための手段】
【０００６】
上記従来の課題を解決するために、本発明のマルチ形空気調和機は、電源部Ａと制御部Ａと通信手段Ａを備えた室内機Ａと、電源部Ｂと制御部Ｂと通信手段Ｂを備えた室内機Ｂと、電源部Ｃと制御部Ｃと通信手段Ｃと通信手段Ｄを備えた室外機とを備え、前記室外機へ商用交流電源が接続され室内外接続線Ａ、Ｂを介して前記室内機Ａと前記室内機Ｂへそれぞれ電力の供給を行い、前記室外機の前記通信手段Ｃと前記室内機Ａの前記通信手段Ａとの間の信号伝達を室内外接続線Ｃ、Ｄを介して行うとともに、前記室外機の前記通信手段Ｄと前記室内機Ｂの前記通信手段Ｂとの間の信号伝達を前記室内外接続線Ｃ、Ｄを通し
て行うようにし、前記室外機に同時運転設定手段を設け、前記同時運転設定手段にてグループ設定された前記室内機Ａと前記室内機Ｂの運転の開始を同時に行うようにしたものである。
【０００７】
これによって、室内機Ａへ運転開始信号を送信させた場合、室外機の同時運転設定手段に設定された室内機Ｂを室内機Ａと同じ運転モードにて自動で運転を開始することができるものである。
【０００８】
また、前記室外機に、同時停止／個別停止設定手段を設け、前記同時停止／個別停止設定手段にてグループ設定された前記室内機Ａと前記室内機Ｂの運転停止を同時もしくは個別に行うようにしたものである。
【０００９】
これによって、室内機Ａへ運転停止信号を送信した場合、同時停止／個別停止設定手段にて室内機Ｂを同時停止設定に選択している時は、室内機Ｂも同時に運転停止を行い、室内機Ｂを個別停止設定を選択している時は、室内機Ａのみ運転停止を行うことができるものである。
【発明の効果】
【００１０】
本発明のマルチ形空気調和機は、室外機に設けた同時運転設定手段によるグループ設定により、室外機に複数台接続された室内機のうち一台の室内機にリモコンにて運転開始信号を送信すると、グループ設定された全ての室内機を同じ運転モードにて自動で運転を開始することが可能となる。
【００１１】
また、室外機に設けた同時停止／個別停止設定手段によるグループ設定により、同時停止設定時は室外機に複数台接続された室内機のうち一台の室内機にリモコンにて運転停止信号を送信すると、グループ設定された全ての室内機を同時に運転停止を行い、個別停止設定選択時は室外機に複数台接続された室内機のうち一台の室内機に運転停止信号を送信すると、運転停止信号を送信された室内機のみ運転停止を行うことが可能となる。
【００１２】
このように室外機に複数台接続された室内機を一度のリモコン操作にて運転開始と運転停止をすることが可能であり、室内機毎に運転開始信号や運転停止信号を送信して回る煩わしさを解消でき、また高価な集中制御リモコンの接続や複雑なアドレス設定と配線が不要なであり、安価な方法でグループ設定が可能である。
【図面の簡単な説明】
【００１３】
【図１】本発明の実施の形態１における空気調和機の構成図
【図２】（ａ）同空気調和機の室内機グループ設定時の運転開始のタイミングチャート（ｂ）同空気調和機の室内機グループ設定無し時の運転開始のタイミングチャート
【図３】（ａ）同空気調和機の室内機グループ設定時の設定変更のタイミングチャート（ｂ）同空気調和機の室内機グループ設定無し時の設定変更のタイミングチャート
【図４】本発明の実施の形態２における空気調和機の構成図
【図５】（ａ）同空気調和機の室内機グループ設定時の運転停止のタイミングチャート（ｂ）同空気調和機の室内機グループ設定無し時の運転停止のタイミングチャート
【図６】従来技術における空気調和機の構成図
【発明を実施するための形態】
【００１４】
第１の発明は、電源部Ａと制御部Ａと通信手段Ａを備えた室内機Ａと、電源部Ｂと制御部Ｂと通信手段Ｂを備えた室内機Ｂと、電源部Ｃと制御部Ｃと通信手段Ｃと通信手段Ｄを備えた室外機とを備え、前記室外機へ商用交流電源が接続され室内外接続線Ａ、Ｂを介して前記室内機Ａと前記室内機Ｂへそれぞれ電力の供給を行い、前記室外機の前記通信手段
Ｃと前記室内機Ａの前記通信手段Ａとの間の信号伝達を室内外接続線Ｃ、Ｄを介して行うとともに、前記室外機の前記通信手段Ｂと前記室内機Ｂの前記通信手段Ｂとの間の信号伝達を前記室内外接続線Ｃ、Ｄを通して行うようにし、前記室外機に同時運転設定手段を設け、前記同時運転設定手段にてグループ設定された前記室内機Ａと前記室内機Ｂの運転の開始を同時に行うことを特徴とするマルチ形空気調和機とすることにより、グループ設定している複数台の室内機は任意の室内機にリモコン操作をすることにより、全て室内機が同じ運転モードで運転を開始することができることとなり、室外機に複数台接続された室内機を一度のリモコン操作にて運転開始と運転停止をすることが可能であり、室内機毎に運転開始信号や運転停止信号を送信して回る煩わしさを解消でき、また高価な集中制御リモコンの接続や複雑なアドレス設定と配線が不要なであり、安価な方法でグループ設定が可能となる。
【００１５】
第２の発明は、第１の発明のマルチ形空気調和機において、前記同時運転設定手段にてグループ設定された前記室内機Ａおよび前記室内機Ｂの運転設定変更を同時に行うようにしたもので、グループ設定している複数台の室内機は任意の室内機にリモコン操作をすることにより、全て室内機の運転設定を同時に変更することが可能となる。
【００１６】
第３の発明は、第１または第２の発明のマルチ形空気調和機において、前記室外機に、同時停止／個別停止設定手段を設け、前記同時停止／個別停止設定手段にてグループ設定された前記室内機Ａと前記室内機Ｂの運転停止を同時もしくは個別に行うもので、室外機に設けた同時停止／個別停止設定手段によるグループ設定により、同時停止設定時は室外機に複数台接続された室内機のうち一台の室内機にリモコンにて運転停止信号を送信すると、グループ設定された全ての室内機を同時に運転停止を行い、個別停止設定選択時は室外機に複数台接続された室内機のうち一台の室内機に運転停止信号を送信すると、運転停止信号を送信された室内機のみ運転停止を行うことが可能となる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態におけるマルチ形空気調和機の構成を示す図、図２（ａ）は、同空気調和機の室内機グループ設定時の運転開始のタイミングチャート、図２（ｂ）は、同空気調和機の室内機グループ設定無し時の運転開始のタイミングチャート、図３（ａ）は、同空気調和機の室内機グループ設定時の設定変更のタイミングチャート、図３（ｂ）は、同空気調和機の室内機グループ設定無し時の設定変更のタイミングチャートである。
【００１９】
図１において、室外機１は、制御部Ｃ２と、電源部Ｃ３、通信手段Ｃ４、通信手段Ｄ５、制御部Ｃ２に設けられたマイコンＣ６、同時運転設定手段７とを備えている。
【００２０】
また、Ａ室に備え付けられた室内機Ａ９は、制御部Ａ１５と、制御部Ａ１５に設けられたマイコンＡ１６と、電源部Ａ１８と、電源部Ａ１８に設けられたダイオードブリッジＡ１９、トランスＡ２０、電解コンデンサＡ２１、定電圧電源Ａ２２と、通信手段Ａ２３とを備えている。室内機Ａ９は、リモコンＡ２４により操作されるようにしている。
【００２１】
Ｂ室に備え付けられた室内機Ｂ１０は、制御部Ｂ２６、制御部Ｂ２６に設けられたマイコンＢ２７と、電源部Ｂ２８と、電源部Ｂ２８に設けられたダイオードブリッジＢ２９、トランスＢ３０、電解コンデンサＢ３１、定電圧電源Ｂ３２、通信手段Ｂ３３とを備えている。室内機Ｂ１０は、リモコンＢ２５により操作されるようにしている。
【００２２】
室外機１の電源部Ｃ３は、商用交流電源８と接続され、商用交流電源８と接続された室内外接続線Ａ１１および室内外接続線Ｂ１２を介して室内機Ａ９の電源部Ａ１８および室内機Ｂ１０の電源部Ｂ２８に接続されている。
【００２３】
また、室外機１の通信手段Ｃ４は、室内外接続線Ｃ１３を介して、通信手段Ａ２３と接続され、室外機１の通信手段Ｄ５は、室内外接続線Ｄ１４を介して、通信手段Ｂ３３と接続されている。
【００２４】
以上のように構成されたマルチ形空気調和機について、以下その動作、作用を説明する。
【００２５】
商用交流電源８に接続された室外機１は室内外接続線Ａ１１および室内外接続線Ｂ１２を通して、室内機Ａ９の電源部Ａ１８と室内機Ｂ１０の電源部Ｂ２８へ電力供給を行う。室内機Ａ９の電源部Ａ１８および室内機Ｂ１０の電源部Ｂ２８は、それぞれ、ダイオードブリッジＡ１９とトランスＡ２０、ダイオードブリッジＢ２９とトランスＢ３０にて交流電力を直流電力に変換したＮＲ電圧を出力する。ＮＲ電圧は、定電圧電源Ａ２２と定電圧電源Ｂ３２に入力され、マイコンＡ１６および通信手段Ａ２３、マイコンＢ２７および通信手段Ｂ３３の動作用の５Ｖ電圧を出力し、制御部Ａ１５および通信手段Ａ２３、制御部Ｂ２６および通信手段Ｂ３３を動作させる。
【００２６】
室外機１の制御部Ｃ２は、通信手段Ｃ４および通信手段Ｄ５と、室内外接続線Ｂ１２と室内外接続線Ｄ１４、および通信手段Ａ２３、通信手段Ｂ３３を介して、室内機Ａ９の制御部Ａ１５や室内機Ｂ１０の制御部Ｂ２６と運転情報などの信号伝達を行う。
【００２７】
ここで、室外機１の制御部Ｃ２と接続された同時運転設定手段７にて、室内機Ａ９と室内機Ｂ１０をひとつのグループにするようグループ設定を行うスイッチ（図示せず）をオンする。
【００２８】
まず、運転開始時における動作を、図２（ａ）を用いて説明する。
【００２９】
室内機Ａ９にリモコンＡ２４により運転開始信号が送信された場合、室内機Ａ９の通信手段Ａ２３と、室内外接続線Ｂ１２および室内外接続線Ｃ１３と、室外機１の通信手段Ｃ４とを通して室外機１の制御部Ｃ２へ信号の伝達を行うとともに、室外機１の制御部Ｃ２より室外機１の通信手段Ｄ５と、室内外接続線Ｂ１２および室内外接続線Ｄ１４と、室内機Ｂ１０の通信手段Ｂ３３を通して、室内機Ｂ１０の制御部Ｂ２６へ運転開始の信号を伝達させる。これにより、室内機Ｂ１０は室内機Ａ９と同じ運転モードで、自動で運転を開始する。
【００３０】
また、室内機Ｂ１０にリモコンＢ２５により運転開始信号が送信された場合、室内機Ｂ１０の通信手段Ｂ３３と、室内外接続線Ｂ１２および室内外接続線Ｄ１４と、室外機１の通信手段Ｄ５とを通して室外機１の制御部Ｃ２へ信号の伝達を行うとともに、室外機１の制御部Ｃ２より室外機１の通信手段Ｃ４と、室内外接続線Ｂ１２および室内外接続線Ｃ１３と、室内機Ａ９の通信手段Ａ２３を通して、室内機Ａ９の制御部Ａ１５へ運転開始の信号を伝達させる。これにより、室内機Ａ９は室内機Ｂ１０と同じ運転モードで、自動で運転を開始する。
【００３１】
一方、室内機Ａ９と室内機Ｂ１０をひとつのグループにするようグループ設定のスイッチがオフにされた場合の動作を、図２（ｂ）を用いて説明する。
【００３２】
室内機Ａ９にリモコンＡ２４により運転開始信号が送信された場合、室内機Ａ９のみが
運転を開始し、室内機Ｂ１０は運転を開始しない。また、室内機１０ＢにリモコンＢ２５により運転開始信号が送信された場合、室内機１０Ｂのみが運転を開始し、室内機Ａ９は運転を開始しない。
【００３３】
次に、運転設定変更における動作を、図３（ａ）を用いて説明する。
【００３４】
室内機Ａ９にリモコンＡ２４により運転設定変更信号が送信された場合、室内機Ａ９の通信手段Ａ２３と、室内外接続線Ｂ１２および室内外接続線Ｃ１３と、室外機１の通信手段Ｃ４とを通して室外機１の制御部Ｃ２へ信号の伝達を行うとともに、室外機１の制御部Ｃ２より室外機１の通信手段Ｄ５と、室内外接続線Ｂ１２および室内外接続線Ｄ１４と、室内機Ｂ１０の通信手段Ｂ３３とを通して、室内機Ｂ１０の制御部Ｂ２６へ運転設定変更の信号を伝達させる。これにより、室内機Ｂ１０は室内機Ａ９と同じ運転モードに自動で変更される。
【００３５】
また、室内機Ｂ１０にリモコンＢ２５により運転設定変更信号が送信された場合、室内機Ｂ１０の通信手段Ｂ３３と、室内外接続線Ｂ１２および室内外接続線Ｄ１４と、室外機１の通信手段Ｄ５とを通して室外機１の制御部Ｃ２へ信号の伝達を行うとともに、室外機１の制御部Ｃ２より室外機１の通信手段Ｃ４と、内外接続線Ｂ１２および室内外接続線Ｃ１３と、室内機Ａ９の通信手段Ａ２３とを通して、室内機Ａ９の制御部Ａ１５へ運転設定変更の信号を伝達させる。これにより、室内機Ａ９は室内機Ｂ１０と同じ運転モードに自動で変更される。
【００３６】
一方、室内機Ａ９と室内機Ｂ１０をひとつのグループにするようグループ設定のスイッチがオフにされた場合の動作を、図３（ｂ）を用いて説明する。
【００３７】
室内機Ａ９にリモコンＡ２４により運転設定変更信号が送信された場合、室内機Ａ９のみが運転モードが変更され、室内機Ｂ１０は運転モードが変更されない。また、室内機１０ＢにリモコンＢ２５により運転設定変更信号が送信された場合、室内機１０Ｂのみが運転モードが変更され、室内機Ａ９は運転モードが変更されない。
【００３８】
ここで同時運転設定手段とはプリント基板などに設けた、設定スイッチをいう。なお、接続する室内機の数は２台に限ったものではない。
【００３９】
本発明は、複数台の室内機を接続するマルチ形空気調和機において、室外機に設けた同時運転設定手段により一度のリモコン操作でグループ設定した複数台の室内機を同じ運転モードで運転を開始することができ、また、一度のリモコン操作でグループ設定した複数台の室内機の運転設定を変更することができるので、室内機毎にリモコン操作をする必要がなく、また、高価な集中制御リモコンや複雑な配線を必要とせず、安価な方法でグループ制御を行うことができ、利用者の利便性がよい。
【００４０】
（実施の形態２）
図４は、本発明の第２の実施の形態におけるマルチ形空気調和機の構成を示す図、図５（ａ）は、同空気調和機の室内機グループ設定時の運転停止のタイミングチャート、図５（ｂ）は、同空気調和機の室内機グループ設定無し時の運転停止のタイミングチャートである。
【００４１】
図４において、室外機１に同時停止／個別停止設定手段１７を設けた構成としている。実施の形態１と同一の構成については、同一符号を付し、説明を省略する。
【００４２】
以上のように構成されたマルチ形空気調和機について、以下その動作、作用を説明する
。
【００４３】
室外機１の制御部Ｃ２と接続された同時停止／個別停止設定手段１７にて、室内機Ａ９と室内機Ｂ１０を同時に停止するひとつのグループにするようグループ設定を行うスイッチ（図示せず）をオンする。
【００４４】
運転停止時における動作を、図５（ａ）を用いて説明する。
【００４５】
室内機Ａ９にリモコンＡ２４により運転停止信号が送信された場合、室内機Ａ９の通信手段Ａ２３と、室内外接続線Ｂ１２および室内外接続線Ｃ１３と、室外機１の通信手段Ｃ４とを通して室外機１の制御部Ｃ２へ信号の伝達を行うとともに、室外機１の制御部Ｃ２より、室外機１の通信手段Ｄ５と、室内外接続線Ｂ１２および室内外接続線Ｄ１４と、室内機Ｂ１０の通信手段Ｂ３３とを通して、室内機Ｂ１０の制御部Ｂ２６へ運転停止の信号を伝達させる。これにより、室内機Ｂ１０は運転停止を行う。
【００４６】
また、室内機Ｂ１０にリモコンＢ２５により運転停止信号が送信された場合、室内機Ｂ１０の通信手段Ｂ３３と、室内外接続線Ｂ１２および室内外接続線Ｄ１４と、室外機１の通信手段Ｄ５とを通して室外機１の制御部Ｃ２へ信号の伝達を行うとともに、室外機１の制御部Ｃ２より、室外機１の通信手段Ｃ４と、室内外接続線Ｂ１２および室内外接続線Ｃ１３と、室内機Ａ９の通信手段Ａ２３を通して、室内機Ａ９の制御部Ａ１５へ運転停止信号を伝達させる。これにより、室内機Ａ９は運転停止を行う。
【００４７】
一方、室外機１の制御部Ｃ２と接続された同時停止／個別停止設定手段１７にて室内機Ａ９と室内機Ｂ１０を個別に停止を行うようグループ設定を行うスイッチ（図示せず）をオンした場合の動作を、図５（ｂ）を用いて説明する。
【００４８】
室内機Ａ９にリモコンＡ２４により運転停止信号が送信された場合、室内機Ａ９は運転停止を行うが、室内機Ｂ１０は運転を継続する。また、室内機Ｂ１０にリモコンＢ２５により運転停止信号が送信された場合、室内機Ｂ１０は運転停止を行うが、室内機Ａ９は運転を継続する。
【００４９】
ここで同時停止／個別停止設定手段とは、プリント基板などに設けた設定スイッチをいう。なお、接続する室内機の数は２台に限ったものではない。
【００５０】
本発明は、複数台の室内機を接続するマルチ形空気調和機において、室外機１に設けた同時停止／個別停止設定手段１７により、同時停止設定した場合は一度のリモコン操作でグループ設定した複数台の室内機の運転を停止することができ、個別停止に設定した場合は、リモコンにより停止信号を送信した室内機だけが停止することができ、室内機毎にリモコン操作をする必要がなく、また利用者のパーソナルユーズにも対応が可能である。
【産業上の利用可能性】
【００５１】
以上のように、本発明にかかる空気調和機は、安価な方法によるグループ設定でリモコンによる操作を簡素化できるため、空気調和機以外にも複数台の制御装置を操作する機器に適用できる。
【符号の説明】
【００５２】
１  室外機
２  制御部Ｃ
３  電源部Ｃ
４  通信手段Ｃ
５  通信手段Ｄ
６  マイコンＣ
７  同時運転設定手段
８  商用交流電源
９  室内機Ａ
１０  室内機Ｂ
１１  室内外接続線Ａ
１２  室内外接続線Ｂ
１３  室内外接続線Ｃ
１４  室内外接続線Ｄ
１５  制御部Ａ
１６  マイコンＡ
１７  同時停止／個別停止設定手段
１８  電源部Ａ
１９  ダイオードブリッジＡ
２０  トランスＡ
２１  電解コンデンサＡ
２２  定電圧電源Ａ
２３  通信手段Ａ
２４  リモコンＡ
２５  リモコンＢ
２６  制御部Ｂ
２７  マイコンＢ
２８  電源部Ｂ
２９  ダイオードブリッジＢ
３０  トランスＢ
３１  電解コンデンサＢ
３２  定電圧電源Ｂ
３３  通信手段Ｂ
【図１】
2013133974.tif 000003
【図２】
2013133974.tif 000004
【図３】
2013133974.tif 000005
【図４】
2013133974.tif 000006
【図５】
2013133974.tif 000007
【図６】
2013133974.tif 000008